(57)【要約】【課題】第１及び第２レーザー素子が異なった波長を放射するレーザー素子の駆動回路を提供することを課題とする。【解決手段】第１レーザー素子１を駆動するレーザー駆動信号を発生する第１レーザードライバー５と、第２レーザー素子２を駆動するレーザー駆動信号を発生する第２レーザードライバー１１と、第１レーザードライバー５及び第２レーザードライバー１１の両方に重畳する高周波信号を発振する発振回路３と、該発振回路３により発振される高周波信号を選択的に第１レーザードライバー５と第２レーザードライバー１１に切り替えるようにした。【選択図】    図１
2005011470.tif 000002
【特許請求の範囲】
【請求項１】
レーザー波長の異なる第１レーザー素子及び第２レーザー素子を駆動する各レーザー駆動信号を発生すると共に、各レーザー駆動信号を重畳する高周波信号を発振する発振回路を有した光ピックアップのレーザー素子駆動回路であって、第１レーザー素子を駆動するレーザー駆動信号を発生する第１レーザードライバーと、第２レーザー素子を駆動するレーザー駆動信号を発生する第２レーザードライバーと、第１レーザードライバー及び第２レーザードライバーの両方に重畳する高周波信号を発振する発振回路と、該発振回路により発振される高周波信号を選択的に第１レーザードライバーと第２レーザードライバーに切り替えるようにしたことを特徴とする光ピックアップのレーザー素子駆動回路。
【発明の詳細な説明】
【０００１】
【発明の属する技術分野】
本発明は、レーザー波長の異なる２種類のレーザー素子から発生されるレーザービームを選択的に単一の対物レンズに入射して透明基板の厚みが異なる２種類の記録媒体に対応させた記録媒体に対応させた記録及び再生用のレーザー素子と再生専用のレーザー素子を駆動するドライバーの周辺回路に係わる光ピックアップのレーザー素子駆動回路に関する。
【０００２】
【従来の技術】
光ピックアップ装置としては、ＣＤ（Ｃｏｍｐａｃｔ  Ｄｉｓｃ）の記録密度に適した波長のレーザービームを発光するレーザー素子とＤＶＤ（Ｄｉｇｉｔａｌ  Ｖｅｒｓａｔｉｌｅ  Ｄｉｓｃ）の記録密度に適した波長のレーザービームを発光するレーザー素子との波長の異なる２種類のレーザー光源を用意し、使用するディスクの記録密度に応じて使用する光源の切り替えを行うことにより単一の光ピックアップによって記録密度が異なるＣＤ及びＤＶＤに対応させたものがある。
【０００３】
このような光ピックアップの駆動回路に組み込まれるＣＤの再生及び書き込み用の第１レーザードライバーとＤＶＤの再生用の第２レーザードライバー及びドライバーを駆動する発信回路はＣＤ用とＤＶＤ用と各々専用の回路として構成されていた。
【０００４】
図２は２種類の波長に対応するレーザー素子と、該レーザードライバーを駆動するドライバーを各々配した回路図であり、５１はＣＤの読み取り及び書き込みを行う第１レーザー素子、５２は第１レーザー素子５１を駆動する第１レーザードライバー、５３は前記第１レーザードライバー５２の出力を設定するＣＤ用発振振幅設定抵抗、５４は前記第１レーザードライバー５２に接続される重畳回路である高周波を発生する発振回路、５５は前記発振回路５４の発振周波数を設定するＣＤ用発振周波数設定抵抗、５６は加算回路であり、ＣＤ再生用データ５７、ＣＤ書き込み用データ５８、消去用データ５９を切り替えて信号が加算され第１レーザードライバー５２に加えるように接続されている。
【０００５】
６０はＣＤ用集積回路６１内の電気回路出力をコントロールする制御端子、６２はＣＤ集積回路６１の電気回路を動作させるための電源供給ライン、６３は前記電源供給ライン６２に乗っているノイズを除去する電源フイルター、６４はＣＤ用集積回路のアースラインである。
【０００６】
また、ＤＶＤ回路においては、７１はＤＶＤの読み取りを行う第２レーザー素子、７２は第２レーザー素子７１を駆動する第２レーザードライバー、７３は前記第２レーザードライバー７２の出力を設定するＤＶＤ用発振振幅設定抵抗、７４は前記第２レーザードライバー７２に接続される重畳回路である高周波を構成する発振回路、７５は前記発振回路７４の発振周波数を設定するＤＶＤ用発振周波数設定抵抗である。
【０００７】
７６は前記第２レーザー素子７１にレーザーパワーを供給するレーザーパワー供給端子、７７はＤＶＤ用集積回路７８内の電気回路出力をコントロールする制御端子、７９はＤＶＤ集積回路７８内の電気回路を動作させるための電源供給ライン、８０は前記電源供給ライン７９に乗っているノイズを除去する電源フイルター、８１はＣＤ用集積回路のアースラインである。
【０００８】
前述したように光ピックアップの可動部が組みこまれているハウジング内（記載せず）には、ＣＤ用の集積回路６１とＤＶＤ用集積回路７８のいずれかのみがレーザー素子の近傍に配置され、他方の集積回路はレーザー素子より遠くに配置されている。
【０００９】
【特許文献１】
特開２００３−９９９６９号
【００１０】
【発明が解決しようとする課題】
最近の光ピックアップ装置は超小型薄型化が開発されている。２波長のレーザー素子を使用した光ピックアップ装置において、不要輻射のノイズを最適に抑えて各部品を組み込むことが非常に困難になっている。
【００１１】
スペースの関係上、第１レーザー素子とＤＶＤレーザーは、例えばＣＤの回路の重畳回路を組み込んだ集積回路が第１レーザー素子の近傍に配置されるとＤＶＤの回路の集積回路が遠くに配置されることとなり、スペースの関係上、ＤＶＤ用の集積回路はレーザー素子から遠く配置されることとなる、従ってレーザー素子から遠い位置に配置されたＤＶＤ用集積回路の配線は長く配線され、ノイズが多く放射されることとなり、不要輻射の対策に多くの時間を必要とする問題があった。
【００１２】
本発明は、斯かる問題を解決した光ピックアップのレーザー素子駆動回路を提供しようとするものである。
【００１３】
【課題を解決するための手段】
第１レーザー素子を駆動するレーザー駆動信号を発生する第１レーザードライバーと第２レーザー素子を駆動するレーザー駆動信号を発生する第２レーザードライバーと第１レーザードライバー及び第２レーザードライバーの両方に重畳する高周波信号を発振する発振回路と、該発振回路により発振される高周波信号を選択的に第１レーザードライバーと第２レーザードライバーに切り替えるようにした。
【００１４】
【実施例】
図１は本発明の一実施例を示す光ピックアップ装置の光学配置図である。図において１はＣＤに適した波長、例えば７８０ｎｍのレーザービームを発光する書き込み及び再生用の第１レーザー素子、２はＤＶＤに適した波長、例えば６５０ｎｍのレーザービームを発光するＤＶＤ再生用の第２レーザー素子である。
【００１５】
３は第１レーザー素子１および第２レーザー素子のドライバーに接続される重畳回路である高周波を発生する発振回路であり、発振周波数設定抵抗４にて発振周波数が設定される。５は前記第１レーザー素子１を駆動する第１レーザードライバー、６は前記第１レーザードライバー５の出力を設定するＣＤ用発振振幅設定抵抗、７は加算回路であり、ＣＤ再生用データ８と、ＣＤ書き込み用データ９および消去用データ１０の動作時に切り替え信号が加算され第１レーザードライバー５に供給するように接続されている。
【００１６】
１１は前記第２レーザー素子２を駆動する第２レーザードライバー、１２は前記第２レーザードライバー１１の出力を設定するＤＶＤ用発振振幅設定抵抗、１３は前記発振回路３の信号を第１レーザードライバー５に接続する第１スイッチ、１４は前記発振回路３の信号を第２レーザードライバー１１に接続する第２スイッチ、１５はＣＤとＤＶＤを切り替えるＣＤ−ＤＶＤ切替信号であって、前記発振回路３の出力信号はＮＯＴ回路１６の組み合わせによる構成により、ＣＤ動作時に発振回路３の出力は第２スイッチ１４をＯＦＦとして第２レーザードライバー１１への発振出力を停止するとともに第１スイッチ１３をＯＮとして第１レーザードライバー５に発振出力を出力し、ＤＶＤ動作時には第１スイッチ１３をＯＦＦとして第１レーザードライバー５への出力を停止するとともに第２スイッチ１４をＯＮとして第２レーザードライバー１１に切り替えて出力されるように制御される。
【００１７】
１７は前記発振回路３の発振−停止の制御を行う発振制御端子、１８は第２レーザー素子２にレーザーパワーを供給するレーザーパワー供給端子、１９は重畳回路である高周波を発振する発振回路３、第１レーザードライバー５及び第２レーザードライバー１１等が組み込まれている集積回路、２０は前記集積回路１９に供給される電源供給ライン、２１は前記電源供給ライン２０に供給された電源ラインのノイズを減衰させる電源フイルター、２２は用集積回路１９内の電気回路をコントロールする制御端子、２３は集積回路１９のアースラインである。
【００１８】
上述したように従来例で説明したＣＤ用集積回路とＤＶＤ用集積回路を一体に組み込み、スイッチにより重畳させる高周波発振出力をスイッチにて、ＣＤ用のレーザードライバーとＤＶＤ用のレーザーに切り替えるように構成したものである。
【００１９】
【発明の効果】
以上のとおり、本発明に依れば、第１レーザー素子を駆動するレーザー駆動信号を発生する第１レーザードライバーと第２レーザー素子を駆動するレーザー駆動信号を発生する第２レーザードライバーと第１レーザードライバー及び第２レーザードライバーの両方に重畳する高周波信号を発振する発振回路と、該発振回路により発振される高周波信号を選択的に第１レーザードライバーと第２レーザードライバーに切り替えるようにしたので、ＣＤとＤＶＤのレーザー素子の近傍に高周波信号を発振する発振回路を組み込んだ集積回路を配置することが出来るので集積回路と各レーザー素子の線長を短く配線することができ、不要輻射が低減できる。
【００２０】
また、重畳回路の発信回路が１系統のため、不要輻射の低減と対策が容易になった。
【００２１】
そして、超薄型の光ピックアップ装置においては、部品の配置面積が少なく無理な配置による配線であったが、適正な配置が可能となった。
【００２２】
また、ＣＤとＤＶＤの集積回路をまとめたので電源フイルターが１個削減できるのでコストの削減になる。
【図面の簡単な説明】
【図１】本発明の光ピックアップレーザー素子駆動回路の一実施例を示すブロック配線図である。
【図２】従来例の一実施例を示すブロック配線図である。
【符号の説明】
１        第１レーザー素子
２        第２レーザー素子
３        発信回路
５        第１レーザードライバー
１１        第２レーザードライバー
１３        第１スイッチ
１４        第２スイッチ
【図１】
2005011470.tif 000003
【図２】
2005011470.tif 000004